(57)【特許請求の範囲】
【請求項１】
着席部（４）と対向する垂直な壁面（１ａ）の下部に一対の取付フレーム（７）（７）を適宜間隔を有して垂直に固設し、該両フレーム（７）（７）にガイド溝（１４）を垂直方向に形成するとともに該ガイド溝（１４）から壁面側に向かって斜め下方へ分岐した有底の支承溝をガイド溝（１４）の上下方向に渡って適宜間隔を有して複数個（１５ａ〜１５ｅ）形成し、別に、パネルヒータ（８）を、その後端部に設けた連結ピン（２６）を上記ガイド溝（１４）及び支承溝（１５ａ〜１５ｅ）に摺動可能に嵌合するとともに前部を床面（５）に摺動可能に載置して設け、パネルヒータ（８）の連結ピン（２６）を上記最下段の支承溝（１５ａ）から最上段の支承溝（１５ｅ）へ段階的に係止することにより、パネルヒータ（８）の発熱面（１７ａ）が、上向きから座席側方向へ段階的に変向するようにし、更に、上記パネルヒータの足先側における中央部には着席した人の足先を係止するフック部（２９）を立設するとともに、該フック部（２９）を、側面から見て逆Ｌ字状でその先部がパネルヒータ（８）の前部側へ突出するように形成したことを特徴とする足用暖房装置。
【発明の詳細な説明】
【０００１】
【発明の属する技術分野】
本願発明は足用暖房装置に関するもので、より詳しくは、遊技台或いはカウンター等においてその足元に設置して使用するパネルヒータからなる足用暖房装置に関するものである。
【０００２】
【従来の技術】
パチンコ等の遊技台の椅子に長時間腰掛けて遊技したり、店のカウンターの腰掛けに長時間腰掛けて食事或いは酒飲したりする場合等には冬場、仮に室内が暖房中であっても足元が冷えることがある。そのための対策として一般には足元近くに暖房器具を設置して局部的に暖める方法が採られている。
【０００３】
【発明が解決しようとする課題】
上記の場合の暖房器具は、大抵の場合は床面に設置して使用するストーブやファンヒータであるため、その都度、片づけが必要で作業が面倒であること、体裁が良くないこと、店内等の狭い場所の場合は幾つも設置できないこと、店内を動き廻る人に邪魔になりまた危険でもあること等の問題があった。
【０００４】
そこで本願の発明は足元の壁面に関連して設け、発熱面を容易に変角して所望箇所への局部的な暖房が行え、かつ不使用時には壁面に起立的に片づけることができる暖房装置を提供して上記問題点を解決するものである。
【０００５】
【課題を解決するための手段】
上記の課題を解決するために、本発明は、着席部（４）と対向する垂直な壁面（１ａ）の下部に一対の取付フレーム（７）（７）を適宜間隔を有して垂直に固設し、該両フレーム（７）（７）にガイド溝（１４）を垂直方向に形成するとともに該ガイド溝（１４）から壁面側に向かって斜め下方へ分岐した有底の支承溝をガイド溝（１４）の上下方向に渡って適宜間隔を有して複数個（１５ａ〜１５ｅ）形成し、別に、パネルヒータ（８）を、その後端部に設けた連結ピン（２６）を上記ガイド溝（１４）及び支承溝（１５ａ〜１５ｅ）に摺動可能に嵌合するとともに前部を床面（５）に摺動可能に載置して設け、パネルヒータ（８）の連結ピン（２６）を上記最下段の支承溝（１５ａ）から最上段の支承溝（１５ｅ）へ段階的に係止することにより、パネルヒータ（８）の発熱面（１７ａ）が、上向きから座席側方向へ段階的に変向するようにし、更に、上記パネルヒータの足先側における中央部には着席した人の足先を係止するフック部（２９）を立設するとともに、該フック部（２９）を、側面から見て逆Ｌ字状でその先部がパネルヒータ（８）の前部側へ突出するように形成したことを特徴とするものである。
【０００９】
【発明の実施形態】
図に示す実施例に基づいて本発明の実施の形態について説明する。
図１乃至図８は第１実施例を示す。
【００１０】
図１は本発明の足用暖房装置を、パチンコ等の遊技台を取り付けた壁面下部に備えて、遊技台の前面に着席した遊技者の足部を局部的に暖房する例を示すものである。
【００１１】
該図１において、１は垂直面からなる壁面で、該壁面１にはパチンコ等の遊技台２及び棚３が備えられている。遊技台２の前面側には、固定或いは移動式の着席部である椅子４が床面５に設置されている。
【００１２】
上記壁面１の下部壁面１ａにおける上記椅子４と対向する位置（椅子４の前面位置）には足用暖房器６が備えられている。該足用暖房器６は概略として取付フレーム７及びパネルヒータ８とからなり、これらについて図２乃至図８により詳述する。
【００１３】
取付フレーム７は図３に示すように下部壁面１ａの左右に、後述するパネルヒータ８の横幅と略同等の間隔を有して配置されている。該一対の取付フレーム７，７は金属板によるプレス成形或いは合成樹脂による型成形によって形成されている。また、該取付フレーム７，７には図８の縦横の点線で示すような補強用リブ９が形成されている。
【００１４】
各取付フレーム７，７は壁面側取付片１０とパネルヒータ連結片１１とが平面からみてＬ状に一体形成してなり、側面形状が上下方向に所定の長さをもった長方形に形成されている。そして、各取付フレーム７，７は、それらの壁面側取付片１０に形成した取付穴１２を通じて止着具１３により上記下部壁面１ａに図示のように立設固着されている。
【００１５】
更に各取付フレーム７，７におけるパネルヒータ連結片１１には、図２に示すように上下方向に、より詳しくは上記下部壁面１ａに平行する上下方向にガイド溝１４が形成されている。該ガイド溝１４は、パネルヒータ連結片１１の内外面に貫通して形成され、かつ所定の溝幅ｄに形成されている。
【００１６】
更に、パネルヒータ連結片１１の下部には第１支承溝１５ａが上記ガイド溝１４に連通して形成され、パネルヒータ連結片１１の上下方向の略中間より下方の位置に第２支承溝１５ｂ、第３支承溝１５ｃ、第４支承溝１５ｄが上下方向に適宜間隔を有して上記ガイド溝１４に連通形成されている。また、パネルヒータ連結片１１の上部には第５支承溝１５ｅが上記ガイド溝１４に連通して形成されている。これら各支承溝１５ａ〜１５ｅは、図２に示すように、ガイド溝１４から奥に、すなわち下部壁面１ａ方向に向かって斜め下方に傾斜して分岐形成され、かつその溝奥端が閉塞された、すなわち袋小路状に形成されている。更に、これら各支承溝１５ａ〜１５ｅは、パネルヒータ連結片１１の内外面に貫通し、かつその溝幅ｄは上記ガイド溝１４の溝幅Ｄと同一或いは略同一幅に形成されている。
【００１７】
次にパネルヒータ８について詳述する。
パネルヒータ８は、その平面形状が適宜大きさの長方形或いは正方形の矩形に形成され、大人の両足を載置するに充分な大きさ、例えば、３００ｍｍ×４００ｍｍ程度の表面積からなる。更に該パネルヒータ８は図４に示すように、合成樹脂製、金属製、木製等からなる額縁状の台板１６の表面に、コードヒータ等の発熱体等を内蔵したセラミックス板１７を止着するとともに、台１６の周囲にはセラミックス板１７の周側面を被覆する側枠１６ａを設けて形成されている。
【００１８】
上記セラミックス板１７の裏面には図５及び図６に示すように、収納溝１８を蛇行して形成し、該収納溝１８内に適度な発熱容量を有するコードヒータからなる発熱体１９を収納するとともに、これを例えばホットメルト等の接着剤或いは箔状の金属性のテープ等により止着している。更に、セラミックス板１７内には温度ヒューズ２０、サーモスタット２１，２２の保護装置が収納溝によって収納されており、これらに接続された上記コードヒータ１９の端部に電源コード２３が接続されている。該電源コード２３は伸縮可能な螺旋状態で上方へ導出され、その他端が図１に示すように壁面１部において例えば商用電源１００Ｖと接続されている。そして、電源ＯＮにより、セラミックス板１７の表面が発熱面１７ａとなって輻射熱が放出される。
【００１９】
上記のようにセラミックス板からなるヒータを使用することにより、強度の高いセラミックス板に使用者が乗って大きな荷重がかかっても、そのセラミックスヒータ８の破損を防止できる。
【００２０】
上記台板１６の裏面には前後の足部１６ｂ，１６ｂ′が突出形成されており、パネルヒータ８を図２に示すように床面５上に水平に設置した場合に、その台板１６の裏面と床面５間に空隙２４が生じ、該空隙２４が空気による断熱層になるようにしてある。
【００２１】
上記台板１６における左右の側枠１６ａの後部上面には夫々連結壁１６ｃが一体に突出形成され、これに図７に示すようにピン取付穴２５が形成されている。そして、該連結壁１６ｃを図３に示すように、上記両取付フレーム７，７におけるパネルヒータ連結片１１，１１の内側に摺動可能に近接位置させている。
【００２２】
そして、上記ピン取付穴２５と上記ガイド溝１４（又は支承溝１５ａ〜１５ｅ）とを合致させ、これらに図７に示すように連結ピン２６を遊嵌状態に貫通して連結壁１６ｃ、すなわちパネルヒータ８を両取付フレーム７，７に移動可能に連結している。また、その連結ピン２６は上記ガイド溝１４の溝幅ｄより大径の頭部２６ａを有し、該頭部２６ａが取付フレーム７におけるパネルヒータ連結片１１の外面に係止し、連結ピン２６の内端部には、台板１６における連結壁１６ｃの内面に係止する座金２７を挿通するとともにＣリング２８を係止して連結ピン２６の抜け止めがなされている。
【００２３】
上記台板１６における側枠１６ａの後枠中央部には、側面からみて逆Ｌ字状のフック部２９が固着して立設されている。更に該フック部２９は、これに使用者の足元を引っ掛ける場合に、その足先の先端が出過ぎて壁面１ａに不用意に当たったりその壁面１ａを汚したりしないようにその先端側が覆われたカバー状になっている。
【００２４】
次にパネルヒータ８の使用について説明する。
図２に示すようにパネルヒータ８側の連結ピン２６を第１支承溝１５ａに嵌入支承させてパネルヒータ８を床面５上に水平に設置した場合には、椅子４に着席した使用者の足をパネルヒータ８上に乗せ置く。このとき、パネルヒータ８の裏面と床面５間に空隙２４が形成されてこれが断熱効果を発揮するため、床面５にパネルヒータ８の熱が直接奪われることがなく、パネルヒータ８の発熱を暖房用に効果的に利用できる。
【００２５】
次にパネルヒータ８の発熱を若干使用者側方向の上向きに向ける場合には、椅子４に着席した使用者が、その靴先（足先）Ｆを図１に示すようにフック部２９に突っ込んでそのフック部２９を持ち上げる。これにより連結ピン２６は第１支承溝１５ａから上方へ外れてガイド溝１４に入る。この状態で更にフック部２９を持ち上げると、連結ピン２６はガイド溝１４内を上昇し、第２支承溝１５ｂの入口部に至る。そして、この位置でフック部２９を下げると、パネルヒータ８は、その前側の足部１６ｂを中心として後側が回動下降して連結ピン２６が第２支承溝１５ｂ内に入り込み、足先をフック部２９から外すと、連結ピン２６は第２支承溝１５ｂに支承される。これによりパネルヒータ８は図８の鎖線で示すＡの傾斜状態に保持される。図の実施例においては、このＡの傾斜は１０度に設定されている。
【００２６】
また、上記Ａの傾斜姿勢から上記と同様に足先でフック部２９を持ち上げて連結ピン２６を第３支承溝１５ｃに嵌め込むと、パネルヒータ８は図８のＢの傾斜状態に保持される。図の実施例においては、このＢの傾斜は１７．５度に設定されている。
【００２７】
更に、同様にして連結ピン２６を第４支承溝１５ｄに嵌め込むと、パネルヒータ８は図８のＣの傾斜状態に保持される。図の実施例においては、このＣの傾斜は２５度に設定されている。
【００２８】
このようにパネルヒータ８の傾斜を段階的に強くすることにより、パネルヒータ８の前側の足部１６ｂが図８の左方へひきずり移動し、パネルヒータ８は、その表面が徐々に前側（椅子４側）に向くように回動（図８の矢印Ｘ−Ｘ方向）する。このとき、前側の足部１６ｂの下面が、前後方向の円弧面に形成されているため、上記のようなパネルヒータ８の動きに支障をきたさない。
【００２９】
更に、上記と同様に足先をフック部２９に掛けて第４支承１５ｄに係止した連結ピン２６を外し、その連結ピン２６をガイド溝１４内を上昇させて第５支承溝１５ｅに嵌入させると、パネルヒータ８は図８の鎖線Ｄで示す垂直状態に保持される。これにより、パネルヒータ８の表面は椅子４側、すなわち着席した使用者側に向いた垂直面になる。
【００３０】
上記はパネルヒータ８の傾斜角を強くする方向について説明したが、逆に低く変更する場合は、上記の操作と同様にフック部２９に足先を引っ掛けて、持ち下げるようにして連結ピン２６を第５支承溝１５ｅから第１支承溝１５ａに段階的に嵌め変えればよい。
【００３１】
上記のようにパネルヒータ８の起倒動作においては、電源コード２３が伸縮するので、何等支障なくパネルヒータ８へ電気を供給できる。
また、パネルヒータ８の不使用時又は、床面等の掃除の際には、これを垂直姿勢にして電源をＯＦＦにする。
【００３２】
図９及び図１０は第２実施例を示す。
本第２実施例は、パネルヒータ８の側枠１６ａにおける連結壁１６ｃと取付フレーム７，７間をリンク板３０を介して連結したものである。
【００３３】
すなわち、上記第１実施例における連結壁１６ｃに連結ピン３１によってリンク板３０を回転可能に連結し、該リンク板３０の他端部に連結ピン３２を備えるとともに該連結ピン３２を上記第１実施例におけるパネルヒータ連結片１１のガイド溝１４（支承溝１５ａ〜１５ｅ）に遊嵌したものである。その他の構造は上記第１実施例と同様である。
【００３４】
なお、上記実施例の発熱体としてはコードヒータのほかに、面状発熱体等を使用してもよく、また、上記台板１６とセラミックス板１７間の両者の接合部分には取付前に防水処理を施してもよい。また、上記のセラミックス板１７を、上記実施例のように収納溝１８を形成してこれにコードヒータ１９を収納する構造とせず、セラミックス板１７の裏面を無溝状の平面に形成し、台板１６の表面に収納溝を形成し、これにコードヒータを収納したり或いは面状発熱体を台板１６に一体に止着し、更にこの止着した台板１６をセラミックス板１７の裏面に接合してヒータを構成してもよい。また、パネルヒータとしては、金属板或いは合板等の台板上にマット或いはシート状のヒータを止着して構成してもよい。更に、中間に発熱体を介在させた構造のパネルヒータでもよい。
【００３５】
なお、上記実施例においては角度変更を水平と垂直状態を除いて３段階（１０度、１７．５度、２５度）にしているが、水平面（床面）から垂直面（壁面）の間をもっと細かく角度変更できるように支承溝の数を増やしたり、逆に減らして角度変更を粗くしてもよい。
【００３６】
上記の実施例は遊技台を設ける壁面に、本願発明の足用暖房装置を適用した例であるが、この例のほかに、足元に垂直な壁面を有する飲食店などで使用するカウンター、事務机や勉強机、列車や劇場の座席等についても本願発明の足用暖房装置を応用できることは当然可能である。
【００３７】
【発明の効果】
以上のようであるから請求項１記載の発明によれば、パチンコ等の遊技台の椅子に長時間腰掛けて遊技したり、店のカウンターの腰掛けに長時間腰掛けて食事或いは酒飲したりする場合等には冬場、仮に室内が暖房中であっても足元を局部的に暖めることができる。
【００３８】
更に、パネルヒータを所望の角度に調節することができるため、使用者は足の裏から或いは前方から必要とする局部的暖房が可能になる。
更に、パネルヒータを、不使用時には壁面に垂直姿勢にすることにより、床面の清掃時や店内を動き廻る人に邪魔にならず、危険性もない。
【００４１】
更に、上記の効果を発揮する暖房装置を簡易な構造で形成できる。
更に、着席した人が、その着席状態のままでパネルヒータを容易に角度変向できる。
【図面の簡単な説明】
【図１】本発明の実施例を示す使用状態の側面図。
【図２】同じくパネルヒータを水平にした状態の側面図。
【図３】図２の正面図。
【図４】パネルヒータの断面図。
【図５】パネルヒータを構成するセラミックス板の断面図。
【図６】コードヒータを収納した状態のセラミックス板の裏面図。
【図７】連結部の断面図。
【図８】パネルヒータを段階的に傾斜させる状態を示す側面図。
【図９】本発明の他の実施例を示す連結部の側面図。
【図１０】図９の縦断面図。
【符号の説明】
１，１ａ          壁面
２                遊技台
４                椅子（着席部）
５                床面
７                取付フレーム
８                パネルヒータ
１４              ガイド溝
１５ａ〜１５ｅ    支承溝
１７              セラミックス板
１７ａ            発熱面
２６              連結ピン
Ｆ                足先
【図１】
0003869512.tif 000002
【図２】
0003869512.tif 000003
【図３】
0003869512.tif 000004
【図４】
0003869512.tif 000005
【図５】
0003869512.tif 000006
【図６】
0003869512.tif 000007
【図７】
0003869512.tif 000008
【図８】
0003869512.tif 000009
【図９】
0003869512.tif 000010
【図１０】
0003869512.tif 000011